(57)【特許請求の範囲】
【請求項１】
基材上の所定の領域内に所定の絵柄を印刷した絵柄層が設けられ、
前記絵柄層上に、該絵柄層を隠蔽する格子状に分割された除去可能な隠蔽層が設けられ、
前記格子状に分割された隠蔽層の各小区画の、小区画の交叉する２辺それぞれの方向での起点となる小区画からの順番を示す文字が、前記絵柄層の外側に印刷され、
前記基材上の他の領域に、前記絵柄層の所定の小区画の前記交叉する２辺それぞれの方向での前記起点となる小区画からの順番を印刷した情報層が設けられ、
前記情報層が除去可能な隠蔽層で覆われていることを特徴とするインスタントくじ。
【請求項２】
基材上の所定の領域に、格子状に分割され、該格子を構成する小区画内に絵柄が印刷された絵柄層が設けられ、
前記格子状に分割された絵柄層の各小区画の、小区画の交叉する２辺それぞれの方向での起点となる小区画からの順番を示す文字が、前記絵柄層の外側に印刷され、
前記格子状に分割された絵柄層を小区画毎に覆う格子状に分割された隠蔽層が設けられ、
前記基材上の他の領域に、前記絵柄層の所定の小区画の前記交叉する２辺それぞれの方向での起点となる小区画からの順番を印刷した情報層が設けられ、
前記情報層が除去可能な隠蔽層で覆われていることを特徴とするインスタントくじ。
【請求項３】
基材上の所定の領域内に所定の絵柄を印刷した絵柄層が設けられ、前記絵柄層上に、該絵柄層を隠蔽する格子状に分割された隠蔽層が設けられ、前記格子状に分割された隠蔽層の各小区画の、小区画の交叉する２辺それぞれの方向での起点となる小区画からの順番を示す文字が、前記絵柄層の外側に印刷され、前記基材上の他の領域に、前記絵柄層の所定の小区画の前記交叉する２辺それぞれの方向での前記起点となる小区画からの順番を印刷した情報層が設けられたインスタントくじを印刷するインスタントくじ印刷装置であって、
当たりくじを印刷する割合が予め定められた一定の割合となるように制御する当選確率制御手段と、
印刷する画像情報と文字情報を記憶する記憶手段と、
前記記憶手段から画像情報及び文字情報を読み出す印刷制御手段と、
前記絵柄層の前記所定の絵柄を印刷する領域上に設ける前記隠蔽層の小区画の、前記小区画の交叉する２辺それぞれの方向での前記起点となる小区画からの順番を示す文字情報を記憶した前記記憶手段のアドレス情報を記憶する当選アドレス記憶手段と、
前記印刷制御手段から送られた文字情報及び画像情報を前記基材上に印刷する印刷手段とを有し、
前記印刷制御手段は、
前記当選確率制御手段により当たりくじの印刷に設定されると、前記当選アドレス記憶手段に記憶されたアドレス情報を任意の順番で読み出し、
前記情報層に印刷する文字情報を前記印刷手段に転送する段になると、
前記記憶手段の、前記当選アドレス記憶手段から読み出したアドレスに記憶された文字情報を読み出して、前記印刷手段に転送し、
前記当選確率制御手段により外れくじの印刷に設定され、前記情報層に印刷する文字情報を印刷する段になると、前記記憶手段の、少なくとも１つは当選アドレス以外となる任意のアドレスに記憶された文字情報を読み出して、前記印刷手段に転送することを特徴とするインスタントくじ印刷装置。
【請求項４】
基材上の所定の領域に、格子状に分割され、該格子を構成する小区画内に絵柄が印刷された絵柄層が設けられ、前記格子状に分割された絵柄層の各小区画の、小区画の交叉する２辺それぞれの方向での起点となる小区画からの順番を示す文字が、前記絵柄層の外側に印刷され、前記格子状に分割された絵柄層を小区画毎に覆う格子状に分割された隠蔽層が設けられ、前記基材上の他の領域に、前記絵柄層の所定の小区画の前記交叉する２辺それぞれの方向での起点となる小区画からの順番を印刷した情報層が設けられたインスタントくじを印刷するインスタントくじ印刷装置であって、
当たりくじを印刷する割合が予め定められた一定の割合となるように制御する当選確率制御手段と、
当たりくじとなるインスタントくじに印刷する画像情報を記憶する当選画像記憶領域と、その他の画像情報を記憶する画像情報記憶領域と、文字情報を記憶する文字情報記憶領域とを有する記憶手段と、
前記記憶手段に記憶された画像情報及び文字情報を読み出す印刷制御手段と、
前記印刷制御手段からの前記絵柄層の任意の小区画の位置情報を、該小区画の前記起点となる小区画からの前記小区画の交叉する２辺それぞれの方向での順番を示す文字情報を記憶する記憶手段のアドレス情報に変換するアドレス変換手段と、
前記印刷制御手段から送られた文字情報を用いて前記基材上に印刷する印刷手段とを有し、
前記印刷制御手段は、
前記当選確率制御手段より当たりくじの印刷に設定されると、前記絵柄層の任意の位置の小区画を所定の個数選択し、
前記選択した小区画の位置情報から、該小区画の前記起点となる小区画からの前記小区画の交叉する２辺それぞれの方向での順番を示す文字情報を記憶した記憶手段のアドレス情報を取得し、
前記情報層に印刷する文字情報を前記印刷手段に転送する段になると、前記記憶手段の前記取得したアドレスに記憶された文字情報を前記印刷手段に転送し、
前記絵柄層に印刷する画像情報を前記印刷手段に転送する段になると、前記記憶手段の当選画像記憶領域に記憶した画像情報を任意に読み出して前記印刷手段に転送し、
前記当選確率制御手段より外れくじの印刷に設定されると、絵柄層の任意の位置の小区画を所定の個数選択し、
前記選択した小区画の位置情報から、該小区画の前記起点となる小区画からの前記小区画の交叉する２辺それぞれの方向での順番を示す文字情報を記憶した記憶手段のアドレス情報を取得し、
前記情報層に印刷する文字情報を前記印刷手段に転送する段になると、前記記憶手段の前記取得したアドレスに記憶された文字情報を前記印刷手段に転送し、
前記絵柄層に印刷する画像情報を前記印刷手段に転送する段になると、前記記憶手段の前記画像情報記憶領域から任意の画像情報を読み出して、前記印刷手段に転送することを特徴とするインスタントくじ印刷装置。
【請求項５】
基材上の所定の領域に、格子状に分割され、該格子を構成する小区画内に数値が印刷された絵柄層が設けられ、前記格子状に分割された絵柄層の各小区画の、小区画の交叉する２辺それぞれの方向での起点となる小区画からの順番を示す文字が、前記絵柄層の外側に印刷され、前記格子状に分割された絵柄層を小区画毎に覆う格子状に分割された隠蔽層が設けられ、前記基材上の他の領域に、前記絵柄層の所定の小区画の前記交叉する２辺それぞれの方向での起点となる小区画からの順番を印刷した情報層が設けられたインスタントくじを印刷するインスタントくじ印刷装置であって、
当たりくじを印刷する割合が予め定められた一定の割合となるように制御する当選確率制御手段と、
画像情報と文字情報を記憶する記憶手段と、
前記記憶手段に記憶された画像情報及び文字情報を読み出す印刷制御手段と、
前記当選確率制御手段から当たりくじを印刷するか、外れくじを印刷するかの設定情報が送られてくると、その設定情報に従って、当たりくじ、外れくじそれぞれに設定された、前記絵柄層の所定の小区画に印刷する数値の合計を、所定の個数で不均等に分割し、該分割した各数値の数値設定情報を前記印刷制御手段に送る等級決定手段と、
前記印刷制御手段からの前記絵柄層の任意の小区画の位置情報を、該小区画の前記起点となる小区画からの前記小区画の交叉する２辺それぞれの方向での順番を示す文字を記憶する記憶手段のアドレス情報に変換し、また、前記等級決定手段からの数値設定情報を、該数値設定情報が示す数値を記憶する記憶手段のアドレス情報に変換するアドレス変換手段と、
前記印刷制御手段から送られた文字情報を用いて前記基材上に印刷する印刷手段とを有し、
前記印刷制御手段は、
前記等級決定手段から送られた前記数値設定情報から、該数値設定情報が示す数値を記憶した前記記憶手段のアドレス情報を前記アドレス変換手段から取得し、
前記絵柄層の任意の位置の小区画を所定の個数選択し、該選択した小区画の位置情報から、該小区画の前記起点となる小区画からの前記小区画の交叉する２辺それぞれの方向での順番を示す文字情報を記憶した記憶手段のアドレス情報を前記アドレス変換手段より取得し、
前記情報層に印刷する文字情報を前記印刷手段に転送する段になると、前記記憶手段の前記取得したアドレスに記憶された文字情報を読み出して、前記印刷手段に転送し、
前記絵柄層に印刷する数値を前記印刷手段に転送する段になると、前記記憶手段の前記所得したアドレスに記憶された数値情報を読み出して、前記印刷手段に転送することを特徴とするインスタントくじ印刷装置。
【請求項６】
基材上の所定の領域に、格子状に分割され、該格子を構成する小区画内に所定の絵柄が印刷された絵柄層が設けられ、前記格子状に分割された絵柄層の各小区画の、小区画の交叉する２辺それぞれの方向での起点となる小区画からの順番を示す文字が、前記絵柄層の外側に印刷され、前記格子状に分割された絵柄層を小区画毎に覆う格子状に分割された隠蔽層が設けられ、前記基材上の他の領域に、前記絵柄層の所定の小区画の前記交叉する２辺それぞれの方向での起点となる小区画からの順番を印刷した情報層が設けられたインスタントくじを印刷するインスタントくじ印刷装置であって、
当たりくじを印刷する割合が予め定められた一定の割合となるように制御する当選確率制御手段と、
当たりくじとなるインスタントくじに印刷する前記所定の絵柄を記憶する当選画像記憶領域と、その他の画像情報を記憶する画像情報記憶領域と、文字情報を記憶する文字情報記憶領域とを有する記憶手段と、
前記記憶手段に記憶された画像情報及び文字情報を読み出す印刷制御手段と、
当たりくじを印刷する場合に開封させる前記絵柄層の小区画の位置情報を記憶する開封位置情報記憶手段と、
前記開封位置情報記憶手段からの開封する小区画の位置情報、または、前記印刷制御手段からの前記絵柄層の任意の小区画の位置情報を、該小区画の前記起点となる小区画からの前記小区画の交叉する２辺それぞれの方向での順番を示す文字を記憶する記憶手段のアドレス情報に変換するアドレス変換手段と、
前記印刷制御手段から送られた文字情報を用いて前記基材上に印刷する印刷手段とを有し、
前記印刷制御手段は、
前記当選確率制御手段より当たりくじの印刷に設定されると、開封位置情報記憶手段に記憶された開封させる前記絵柄層の小区画の位置情報を読み出し、該読み出した小区画の位置情報から、該小区画の前記起点となる小区画からの前記小区画の交叉する２辺それぞれの方向での順番を示す文字情報を記憶した記憶手段のアドレス情報を前記アドレス変換手段より取得し、
前記情報層に印刷する文字情報を前記印刷手段に転送する段になると、前記記憶手段の前記取得したアドレスに記憶された文字情報を前記印刷手段に転送し、
前記絵柄層に印刷する画像を前記印刷手段に転送する段になると、前記記憶手段の当選画像記憶領域に記憶した画像を読み出して前記印刷手段に転送し、
前記当選確率制御手段より外れくじの印刷に設定されると、任意の位置の絵柄層の小区画を所定の個数選択し、
前記選択した小区画の位置情報から、該小区画の前記起点となる小区画からの前記小区画の交叉する２辺それぞれの方向での順番を示す文字情報を記憶した記憶手段のアドレス情報を取得し、
前記情報層に印刷する文字情報を前記印刷手段に転送する段になると、前記記憶手段の前記取得したアドレスに記憶された文字情報を前記印刷手段に転送し、
前記絵柄層に印刷する画像を前記印刷手段に転送する段になると、前記記憶手段の前記画像情報記憶領域から任意のアドレスの画像情報を読み出して、前記印刷手段に転送することを特徴とするインスタントくじ印刷装置。
【発明の詳細な説明】
【０００１】
【発明の属する技術分野】
本発明はインスタントくじ及びその印刷装置に関し、特に遊戯性を高めたインスタントくじ及びその印刷装置に関する。
【０００２】
【従来の技術】
従来、インスタントくじは、くじの当たり、外れを記した用紙をスクラッチ層色紙、シール等の隠蔽層により覆い隠して、くじの当たり、外れが見えないようにしている。インスタントくじの購入者は用紙を覆った隠蔽層を剥がすなどして、用紙に記載された当たり、外れの情報を確認していた。
【０００３】
【発明が解決しようとする課題】
しかしながら、上述したインスタントくじは、くじの当たり、外れが直ぐに判ってしまい、インスタントくじ自体の面白みにかけるという問題点を有する。
【０００４】
本発明は上記事情に鑑みてなされたものであり、インスタントくじの当たり、外れを簡単なゲームを行うことにより認識するインスタントくじ及びその印刷装置を提供することを目的とする。
【０００５】
【課題を解決するための手段】
かかる目的を達成するために本発明のインスタントくじは、基材上の所定の領域内に所定の絵柄を印刷した絵柄層が設けられ、絵柄層上に、絵柄層を隠蔽する格子状に分割された除去可能な隠蔽層が設けられ、格子状に分割された隠蔽層の各小区画の、小区画の交叉する２辺それぞれの方向での起点となる小区画からの順番を示す文字が、絵柄層の外側に印刷され、基材上の他の領域に、絵柄層の所定の小区画の交叉する２辺それぞれの方向での起点となる小区画からの順番を印刷した情報層が設けられ、情報層が除去可能な隠蔽層で覆われていることを特徴とする。
【０００６】
本発明のインスタントくじは、基材上の所定の領域に、格子状に分割され、格子を構成する小区画内に絵柄が印刷された絵柄層が設けられ、格子状に分割された絵柄層の各小区画の、小区画の交叉する２辺それぞれの方向での起点となる小区画からの順番を示す文字が、絵柄層の外側に印刷され、格子状に分割された絵柄層を小区画毎に覆う格子状に分割された隠蔽層が設けられ、基材上の他の領域に、絵柄層の所定の小区画の交叉する２辺それぞれの方向での起点となる小区画からの順番を印刷した情報層が設けられ、情報層が除去可能な隠蔽層で覆われていることを特徴とする。
【０００７】
本発明のインスタントくじ印刷装置は、基材上の所定の領域内に所定の絵柄を印刷した絵柄層が設けられ、絵柄層上に、絵柄層を隠蔽する格子状に分割された隠蔽層が設けられ、格子状に分割された隠蔽層の各小区画の、小区画の交叉する２辺それぞれの方向での起点となる小区画からの順番を示す文字が、絵柄層の外側に印刷され、基材上の他の領域に、絵柄層の所定の小区画の交叉する２辺それぞれの方向での起点となる小区画からの順番を印刷した情報層が設けられたインスタントくじを印刷するインスタントくじ印刷装置であって、当たりくじを印刷する割合が予め定められた一定の割合となるように制御する当選確率制御手段と、印刷する画像情報と文字情報を記憶する記憶手段と、記憶手段から画像情報及び文字情報を読み出す印刷制御手段と、絵柄層の所定の絵柄を印刷する領域上に設ける隠蔽層の小区画の、小区画の交叉する２辺それぞれの方向での起点となる小区画からの順番を示す文字情報を記憶した記憶手段のアドレス情報を記憶する当選アドレス記憶手段と、印刷制御手段から送られた文字情報及び画像情報を基材上に印刷する印刷手段とを有し、印刷制御手段は、当選確率制御手段により当たりくじの印刷に設定されると、当選アドレス記憶手段に記憶されたアドレス情報を任意の順番で読み出し、情報層に印刷する文字情報を印刷手段に転送する段になると、記憶手段の、当選アドレス記憶手段から読み出したアドレスに記憶された文字情報を読み出して、印刷手段に転送し、当選確率制御手段により外れくじの印刷に設定され、情報層に印刷する文字情報を印刷する段になると、記憶手段の、少なくとも１つは当選アドレス以外となる任意のアドレスに記憶された文字情報を読み出して、印刷手段に転送することを特徴とする。
【０００８】
本発明のインスタントくじ印刷装置は、基材上の所定の領域に、格子状に分割され、格子を構成する小区画内に絵柄が印刷された絵柄層が設けられ、格子状に分割された絵柄層の各小区画の、小区画の交叉する２辺それぞれの方向での起点となる小区画からの順番を示す文字が、絵柄層の外側に印刷され、格子状に分割された絵柄層を小区画毎に覆う格子状に分割された隠蔽層が設けられ、基材上の他の領域に、絵柄層の所定の小区画の交叉する２辺それぞれの方向での起点となる小区画からの順番を印刷した情報層が設けられたインスタントくじを印刷するインスタントくじ印刷装置であって、当たりくじを印刷する割合が予め定められた一定の割合となるように制御する当選確率制御手段と、当たりくじとなるインスタントくじに印刷する画像情報を記憶する当選画像記憶領域と、その他の画像情報を記憶する画像情報記憶領域と、文字情報を記憶する文字情報記憶領域とを有する記憶手段と、記憶手段に記憶された画像情報及び文字情報を読み出す印刷制御手段と、印刷制御手段からの絵柄層の任意の小区画の位置情報を、小区画の起点となる小区画からの小区画の交叉する２辺それぞれの方向での順番を示す文字情報を記憶する記憶手段のアドレス情報に変換するアドレス変換手段と、印刷制御手段から送られた文字情報を用いて基材上に印刷する印刷手段とを有し、印刷制御手段は、当選確率制御手段より当たりくじの印刷に設定されると、絵柄層の任意の位置の小区画を所定の個数選択し、選択した小区画の位置情報から、小区画の起点となる小区画からの小区画の交叉する２辺それぞれの方向での順番を示す文字情報を記憶した記憶手段のアドレス情報を取得し、情報層に印刷する文字情報を印刷手段に転送する段になると、記憶手段の取得したアドレスに記憶された文字情報を印刷手段に転送し、絵柄層に印刷する画像情報を印刷手段に転送する段になると、記憶手段の当選画像記憶領域に記憶した画像情報を任意に読み出して印刷手段に転送し、当選確率制御手段より外れくじの印刷に設定されると、絵柄層の任意の位置の小区画を所定の個数選択し、選択した小区画の位置情報から、小区画の起点となる小区画からの小区画の交叉する２辺それぞれの方向での順番を示す文字情報を記憶した記憶手段のアドレス情報を取得し、情報層に印刷する文字情報を印刷手段に転送する段になると、記憶手段の取得したアドレスに記憶された文字情報を印刷手段に転送し、絵柄層に印刷する画像情報を印刷手段に転送する段になると、記憶手段の画像情報記憶領域から任意の画像情報を読み出して、印刷手段に転送することを特徴とする。
【０００９】
本発明のインスタントくじ印刷装置は、基材上の所定の領域に、格子状に分割され、格子を構成する小区画内に数値が印刷された絵柄層が設けられ、格子状に分割された絵柄層の各小区画の、小区画の交叉する２辺それぞれの方向での起点となる小区画からの順番を示す文字が、絵柄層の外側に印刷され、格子状に分割された絵柄層を小区画毎に覆う格子状に分割された隠蔽層が設けられ、基材上の他の領域に、絵柄層の所定の小区画の交叉する２辺それぞれの方向での起点となる小区画からの順番を印刷した情報層が設けられたインスタントくじを印刷するインスタントくじ印刷装置であって、当たりくじを印刷する割合が予め定められた一定の割合となるように制御する当選確率制御手段と、画像情報と文字情報を記憶する記憶手段と、記憶手段に記憶された画像情報及び文字情報を読み出す印刷制御手段と、当選確率制御手段から当たりくじを印刷するか、外れくじを印刷するかの設定情報が送られてくると、その設定情報に従って、当たりくじ、外れくじそれぞれに設定された、絵柄層の所定の小区画に印刷する数値の合計を、所定の個数で不均等に分割し、分割した各数値の数値設定情報を印刷制御手段に送る等級決定手段と、印刷制御手段からの絵柄層の任意の小区画の位置情報を、小区画の起点となる小区画からの小区画の交叉する２辺それぞれの方向での順番を示す文字を記憶する記憶手段のアドレス情報に変換し、また、等級決定手段からの数値設定情報を、数値設定情報が示す数値を記憶する記憶手段のアドレス情報に変換するアドレス変換手段と、印刷制御手段から送られた文字情報を用いて基材上に印刷する印刷手段とを有し、印刷制御手段は、等級決定手段から送られた数値設定情報から、数値設定情報が示す数値を記憶した記憶手段のアドレス情報をアドレス変換手段から取得し、絵柄層の任意の位置の小区画を所定の個数選択し、選択した小区画の位置情報から、小区画の起点となる小区画からの小区画の交叉する２辺それぞれの方向での順番を示す文字情報を記憶した記憶手段のアドレス情報をアドレス変換手段より取得し、情報層に印刷する文字情報を印刷手段に転送する段になると、記憶手段の取得したアドレスに記憶された文字情報を読み出して、印刷手段に転送し、絵柄層に印刷する数値を印刷手段に転送する段になると、記憶手段の所得したアドレスに記憶された数値情報を読み出して、印刷手段に転送することを特徴とする。
【００１０】
本発明のインスタントくじ印刷装置は、基材上の所定の領域に、格子状に分割され、格子を構成する小区画内に所定の絵柄が印刷された絵柄層が設けられ、格子状に分割された絵柄層の各小区画の、小区画の交叉する２辺それぞれの方向での起点となる小区画からの順番を示す文字が、絵柄層の外側に印刷され、格子状に分割された絵柄層を小区画毎に覆う格子状に分割された隠蔽層が設けられ、基材上の他の領域に、絵柄層の所定の小区画の交叉する２辺それぞれの方向での起点となる小区画からの順番を印刷した情報層が設けられたインスタントくじを印刷するインスタントくじ印刷装置であって、当たりくじを印刷する割合が予め定められた一定の割合となるように制御する当選確率制御手段と、当たりくじとなるインスタントくじに印刷する所定の絵柄を記憶する当選画像記憶領域と、その他の画像情報を記憶する画像情報記憶領域と、文字情報を記憶する文字情報記憶領域とを有する記憶手段と、記憶手段に記憶された画像情報及び文字情報を読み出す印刷制御手段と、当たりくじを印刷する場合に開封させる絵柄層の小区画の位置情報を記憶する開封位置情報記憶手段と、開封位置情報記憶手段からの開封する小区画の位置情報、または、印刷制御手段からの絵柄層の任意の小区画の位置情報を、小区画の起点となる小区画からの小区画の交叉する２辺それぞれの方向での順番を示す文字を記憶する記憶手段のアドレス情報に変換するアドレス変換手段と、印刷制御手段から送られた文字情報を用いて基材上に印刷する印刷手段とを有し、印刷制御手段は、当選確率制御手段より当たりくじの印刷に設定されると、開封位置情報記憶手段に記憶された開封させる絵柄層の小区画の位置情報を読み出し、読み出した小区画の位置情報から、小区画の起点となる小区画からの小区画の交叉する２辺それぞれの方向での順番を示す文字情報を記憶した記憶手段のアドレス情報をアドレス変換手段より取得し、情報層に印刷する文字情報を印刷手段に転送する段になると、記憶手段の取得したアドレスに記憶された文字情報を印刷手段に転送し、絵柄層に印刷する画像を印刷手段に転送する段になると、記憶手段の当選画像記憶領域に記憶した画像を読み出して印刷手段に転送し、当選確率制御手段より外れくじの印刷に設定されると、任意の位置の絵柄層の小区画を所定の個数選択し、選択した小区画の位置情報から、小区画の起点となる小区画からの小区画の交叉する２辺それぞれの方向での順番を示す文字情報を記憶した記憶手段のアドレス情報を取得し、情報層に印刷する文字情報を印刷手段に転送する段になると、記憶手段の取得したアドレスに記憶された文字情報を印刷手段に転送し、絵柄層に印刷する画像を印刷手段に転送する段になると、記憶手段の画像情報記憶領域から任意のアドレスの画像情報を読み出して、印刷手段に転送することを特徴とする。
【００１１】
【発明の実施の形態】
次に添付図面を参照して本発明のインスタントくじ及びその印刷装置の実施の形態を詳細に説明する。図１〜図１３を参照すると本発明のインスタントくじ及びその印刷装置の実施形態が示されている。
【００１２】
まず、図１を用いて本発明のインスタントくじの第１の実施形態について説明する。図１に示されるように第１の実施形態のインスタントくじは、カード基材１上に文字情報を印刷した情報部２と、絵柄を印刷した絵柄部３とが印刷されている。また、図２に示されるように情報部２に記された文字情報と、絵柄部３に印刷された絵柄とはシルクスクリーン印刷法等により形成されたスクラッチオフインキによる隠蔽層６に覆われている。
【００１３】
絵柄部３には、予め定められた絵柄が、予め定められた位置に印刷されている。また、図１に示されるように絵柄部を覆う隠蔽層６は、格子状に分割されている。絵柄部３の外側には格子状に分割された隠蔽層の各小区画を識別するための文字を印刷した縦方向文字印刷層４と横方向文字印刷層５が、絵柄部３の縦方向と横方向に沿ってそれぞれ設けられている。情報部２には、この絵柄部の縦方向の文字と横方向の文字とが１セットで記されている。
【００１４】
次に上記構成のインスタントくじの使用方法について説明する。インスタントくじの購入者は、まず、インスタントくじの情報部を覆う隠蔽層をすべて剥離する。そして、この情報部に記された文字情報の示す隠蔽層の小区画を剥離していく。図１に示された第１の実施形態では、例えば情報部に（ハ、ｂ）と記されていると、この絵柄部の縦方向が（ハ）の段落で、横方向が（ｂ）の段落の小区画の隠蔽層を剥離する。
【００１５】
情報部に印刷されたすべての文字情報が示す隠蔽層の小区画を剥離した際に、図１に示されるように絵柄が完成すると、そのインスタントくじは当たりとなる。また、情報部に記載されたすべての文字情報が示す隠蔽層の小区画を剥離した際に、図３に示されるように絵柄が完成しなかった場合には、そのインスタントくじは外れとなる。
【００１６】
このように情報部に印刷されたすべての文字情報の示す隠蔽層の小区画を剥離するまではそのインスタントくじが当たりであるか、外れであるかを確認することができないので、インスタントくじの購入者にくじを開封する面白みを与えることができる。
【００１７】
また、上述した第１の実施形態の変形例として、図４に示されるように絵柄部に予め等級の決められた複数の絵柄を印刷しておくものであってもよい。インスタントくじの購入者は、情報部に印刷された文字情報に指定された隠蔽層の小区画を剥離していき、情報部に指定されたすべての隠蔽層の小区画を剥離した際に出てきた絵柄により、このインスタントくじが何等であるかを判断する。このような構成のインスタントくじであってもインスタントくじの購入者にくじを開封する面白みを与えることができる。
【００１８】
次に図５を用いて上述した第１の実施形態およびその変形例のインスタントくじを印刷する印刷装置について説明する。図５に示されたインスタントくじ印刷装置は、当たりくじを印刷する割合が一定となるように制御する当選確率制御部１０と、情報部２と絵柄部３の外側に印刷された縦方向文字印刷層４に印刷する縦方向文字情報を記憶した縦方向文字情報記憶部１１ａと、情報部２と絵柄部３の外側に印刷された横方向文字印刷層５に印刷する横方向文字情報を記憶した横方向文字情報記憶部１１ｂと、絵柄部に印刷する絵柄やその他の画像情報を記憶する画像情報記憶部１１ｃとからなる記憶部１１と、記憶部１１に記憶された文字情報及び画像情報を読み出す印刷制御部１２と、当たりくじを印刷するために情報部２に印刷する文字情報を記憶した記憶部のアドレス情報を記憶する当選アドレス記憶部１３と、印刷制御部１２から送られた文字情報及び画像情報をカードに印刷する印刷部１４とを有して構成される。
【００１９】
上記構成のインスタントくじ印刷装置は、まず当選確率制御部１０により印刷するインスタントくじを当たりくじとするか、外れくじとするかを決定し、その旨を示す印刷設定信号を印刷制御部１２に転送する。
【００２０】
印刷制御部１２は、当選確率制御部１０より当たりくじの印刷設定信号が送られてくると、当選アドレス記憶部１３に予め記憶されている、くじ購入者に開封させる隠蔽層６の小区画を示す縦方向文字情報及び横方向文字情報を記憶した記憶部１１のアドレス情報を読み出す。そして、情報部２に印刷する文字情報を記憶部１１から読み出す段になると、当選アドレス記憶部１３から読み出したアドレスに記憶された縦方向文字情報及び横方向文字情報とをそれぞれ縦方向文字情報記憶部１１ａ、横方向文字情報記憶部１１ｂから読み出して、印刷部１４に転送する。
【００２１】
また、印刷制御部１２は、当選確率制御部１０より外れくじの印刷設定信号が送られ、くじの情報部２に印刷する文字情報を印刷部に転送する段になると、縦方向文字情報記憶部１１ａ及び横方向文字情報記憶部１１ｂより任意のアドレスの文字情報を読み出して印刷部１４に転送する。また、絵柄部３に印刷する画像を印刷部１４に転送する段になると、画像情報記憶部１１ｄより予め定められた画像情報を読み出して印刷部１４に転送する。
【００２２】
印刷部１４は印刷制御部１２から転送される文字情報および画像情報を所定のカードに印刷し、その後、文字情報及び画像情報が印刷されたカード１の情報部２及び絵柄部３上にシルクスクリーン印刷法等によりスクラッチオフインキによる隠蔽層６を印刷することにより図３に示されたカードが完成する。
【００２３】
次に図６〜図１０を用いて本発明のインスタントくじの第２の実施形態について説明する。図６〜図１０に示されるように、第２の実施形態のインスタントくじも上述した第１の実施形態と同様にカード１上に文字情報を印刷した情報部２と、絵柄を印刷した絵柄部３とを設けて、情報部２と絵柄部３とを隠蔽層６により隠蔽している。また、絵柄部３は格子状に分割され、各小区画を識別するための縦方向文字印刷層４と横方向文字印刷層５とが絵柄部の縦方向と横方向にそれぞれ沿って印刷されている。
【００２４】
第２の実施形態のインスタントくじは、絵柄部３に印刷する絵柄を、格子状に分割した絵柄部の１つの小区画に納まるように印刷している。また、この１つの小区画に納まる絵柄を複数の小区画に描いている。
【００２５】
次に上記構成の第２の実施形態のインスタントくじの使用方法について説明する。まず、図６に示されたインスタントくじは、情報部２に印刷された文字情報の示す絵柄部の小区画をすべて開封した際に、図６に示されるように文字として意味のあるまとまり（例えば、四文字熟語やことわざ等）が表れると、その開封したインスタントくじは当たりとなる。
【００２６】
また、図７に示されたインスタントくじは、情報部に印刷された文字情報の示す絵柄部の小区画をすべて開封した際に、図７に示されるようにトランプのポーカーの役ができると、その開封したインスタントくじは当たりとなる。
【００２７】
また、図８に示されたインスタントくじは、情報部に印刷された文字情報の示す絵柄部の小区画をすべて開封した際に、当たりを示す所定の印がでてきた時に、その開封したインスタントくじを当たりとする。また、その当たりを示す所定の印が幾つ出てきたかによって当たりに等級を付けてもよい。
【００２８】
また、図９に示されたインスタントくじは、情報部に印刷された文字情報の示す絵柄部の小区画をすべて開封した際に出てきた数字の合計が所定の数を越えていた場合に、その開封したインスタントくじを当たりとする。また、開封した小区画の一つに所定の数を越える数字が印刷されていた場合に、その開封したインスタントくじは当たりであるとしてもよい。また、くじの結果を当たりと外れの二種類に限定せずに、例えば、開封した数字の合計が１０以上であると一等賞、合計が９〜６であると二等賞などのように当たりに等級を付けてもよい。
【００２９】
また、図１０に示されたインスタントくじは、情報部に印刷された文字情報の示す絵柄部の小区画をすべて開封した際に、図１０に示されるように所定の表示が、絵柄部の縦、横、または斜め方向の何れかの方向に一列に並んだときに、その開封したインスタントくじは当たりとなる。
【００３０】
上述した第２の実施形態も、情報部に記されたすべての文字情報の示す小区画を覆う隠蔽層を剥離するまでは、そのインスタントくじが当たりであるか、外れであるかを確認することができないので、インスタントくじの購入者にくじを開封する面白みを与えることができる。
【００３１】
次に上述した第２の実施形態のインスタントくじを印刷する印刷装置について説明する。まず、図６〜図８に示されたインスタントくじを印刷する印刷装置について説明する。図１１には図６〜図８に示されたインスタントくじを印刷する印刷装置の構成が示されている。図１１に示されるようにこのインスタントくじ印刷装置は、上述した当選確率制御部１０、印刷部１４の他に上述した印刷制御部１２とは処理動作の異なる印刷制御部１６と、上述した記憶部１１とは情報の記憶内容が異なる記憶部１５とアドレス変換部１７とを有している。
【００３２】
記憶部１５は、縦方向文字情報、横方向文字情報等の文字情報が記憶された文字情報記憶部１５ａと、当たりくじを印刷する時に絵柄部に印刷する画像を記憶した当選画像記憶部１５ｂと、当選画像以外のその他の画像情報を記憶した画像情報記憶部１５ｃとからなる。また、印刷制御部１６は、絵柄部の開封する小区画を任意に設定することができる。また、アドレス変換部１７は印刷制御部１６により設定された開封する小区画を示す文字を記憶した文字情報記憶部１５ａのアドレスを記憶し、印刷制御部１６から送られた絵柄部の位置情報により、その位置情報が示す縦方向文字情報と横方向文字情報とを記憶する文字情報記憶部１５ａのアドレス情報を読み出して印刷制御部１６に転送する。
【００３３】
このインスタントくじ印刷装置は、まず当選確率制御部１０により印刷するインスタントくじを当たりくじとするか、外れくじとするかを決定し、その旨を示す印刷設定信号を印刷制御部１６に転送する。
【００３４】
印刷制御部１６は当選確率制御部１０より当たりくじを印刷する印刷設定信号が送られてくると、絵柄部に印刷する小区画のうち、任意の複数の小区画を開封させる開封区画に設定する。そして、その設定した開封区画の位置情報をアドレス変換部１７に送り、その位置情報の示す小区画の文字を記憶する記憶部１５のアドレス情報を取得する。そして、情報部に印刷する文字情報を印刷部に転送する段になると、文字情報記憶部１５ａの、アドレス変換部１７から取得したアドレスに記憶された文字情報を読み出して印刷部１４に転送する。また、開封区画に設定した小区画に印刷する画像を印刷部に転送する段になると、記憶部１５の当選画像記憶部１５ｂより当選画像情報を読み出して印刷部１４に転送する。
【００３５】
また、印刷制御部１６は当選確率制御部１０より外れくじを印刷する印刷設定信号が送られてくると、まず、当たりくじの印刷の時と同様に、絵柄部に印刷する小区画のうち、複数の任意の小区画を開封区画に設定する。そして、その設定した開封区画の位置情報をアドレス変換部１７に送り、その位置情報の示す小区画の文字を記憶した記憶部１５のアドレスを読み出す。そして、情報部２に印刷する文字情報を印刷部１４に転送する段になると、アドレス変換部１７から取得したアドレスに記憶した文字情報を読み出して、印刷部１４に転送する。また、開封区画に設定した小区画に印刷する画像を印刷部に転送する段になると、画像情報記憶部１５ｃより任意の画像を読み出して印刷部１４に転送する。
【００３６】
印刷部１４は、印刷制御部１６から転送される文字情報及び画像情報を所定のカードの情報部２及び絵柄部３に印刷し、その後、文字情報及び画像情報が印刷されたカード１の情報部２及び絵柄部３上にシルクスクリーン印刷法等によりスクラッチオフインキによる隠蔽層を印刷することにより図６、図７、図８に示されたインスタントくじが完成する。
【００３７】
次に図９に示された開封した絵柄部に印刷された数値の合計数でくじの当たり、外れを決定するインスタントくじを印刷する印刷装置について説明する。
【００３８】
図１２に示されるように、このインスタントくじ印刷装置は、上述した当選確率制御部１０、印刷部１４の他に等級決定部２０、記憶内容の異なる記憶部１８、処理動作の異なる印刷制御部１９、アドレス変換部２１を有している。
【００３９】
等級決定部２０は、当選確率制御部１０より当たりくじを印刷する印刷設定信号が送られてくると、印刷する当たりくじの等級（開封させる小区画に印刷する数値の合計）を決定し、決定した数値を予め定められた開封する区画の個数で不均等に分割し、分割した各数値情報を印刷制御部１９に転送する。
【００４０】
記憶部１８は、情報部に印刷する文字情報と、絵柄部の外側に沿って印刷される縦方向文字印刷層４及び横方向文字印刷層５に印刷する文字情報と、絵柄部に印刷する数値などを記憶した文字情報記憶部１８ａからなる。
【００４１】
アドレス変換部２１は、絵柄部の小区画の位置情報をその位置情報の示す小区画の文字情報を記憶する記憶部のアドレス情報に変換するだけでなく、印刷制御部１９を介して等級決定部２０から送られた数値情報を、その数値情報が示す数値を記憶した文字情報記憶部１８ａのアドレス情報に変換する。
【００４２】
印刷制御部１９は、絵柄部の小区画を予め定められた数、任意に選び出して、その小区画の位置情報をアドレス変換部２１に送り、その位置情報の示す小区画の文字を記憶する文字情報記憶部１８ａのアドレス情報を取得する。また、等級決定部２０から送られた数値情報をアドレス変換部２１に送り、その数値情報の示す数値を記憶した文字情報記憶部１８ａのアドレス情報を取得する。
【００４３】
次に上記構成のインスタントくじ印刷装置によるインスタントくじの印刷過程について説明する。このインスタントくじ印刷装置は、まず、当選確率制御部１０が当たりくじを印刷するか、外れくじを印刷するかを決定し、印刷設定信号を等級決定部２０に転送する。
【００４４】
等級決定部２０は、当選確率制御部１０より当たりくじの印刷設定信号が送られてくると、その当たりくじの等級（開封させる小区画に印刷する数値の合計）を決定し、決定した数値を予め定められた開封させる区画の個数で不均等に分割し、分割した各数値情報を印刷制御部１９に転送する。また、等級決定部２０は、当選確率制御部１０より外れくじの印刷設定信号が送られてくると、予め定められた開封させる小区画に印刷する数値の合計を予め定められた開封させる小区画の個数で不均等に分割し、分割した各数値情報を印刷制御部１９に転送する。
【００４５】
印刷制御部１９は、等級決定部２０から送られた数値情報を受け取ると、予め定められた個数の絵柄部の小区画を開封区画に設定する。そして、等級決定部２０から送られた数値情報を逐次アドレス変換部２１に転送し、その数値情報が示す数値を記憶した文字情報記憶部１８ａのアドレスを読み出す。また、開封区画に設定した小区画の位置情報をアドレス変換部２１に転送し、その小区画の文字情報を記憶した文字情報記憶部１８ａのアドレス情報をアドレス変換部２１から読み出す。
【００４６】
そして、情報部に印刷する文字情報を印刷部に転送する段になると、アドレス変換部２１から読み出した文字情報記憶部１８ａのアドレスから文字情報を読み出し、印刷部１４に転送する。また、絵柄部に印刷する数値情報を印刷部に転送する段になると、アドレス変換部２１から読み出した文字情報記憶１８ａのアドレスから等級決定部２０から送られた数値情報を読み出し、印刷部１４に転送する。
【００４７】
印刷部１４は、印刷制御部１９から転送される文字情報及び数字情報を所定のカードの情報部及び絵柄部に印刷し、その後、文字情報及び画像情報が印刷されたカード１の情報部２及び絵柄部３上にシルクスクリーン印刷等によりスクラッチオフインキによる隠蔽層を印刷することにより図９に示されたインスタントくじが完成する。
【００４８】
次に図１０に示された所定の列に同じ文字が揃うと当たりとなるインスタントくじを印刷する印刷装置について説明する。
【００４９】
図１３に示されるようにこのインスタントくじを印刷する印刷装置は、上述したインスタントくじ印刷装置と同一処理を行う当選確率制御部１０と、アドレス変換部２５と、印刷部１４の他に、記憶構成の異なる記憶部２２と、処理動作の異なる印刷制御部２３と、開封位置情報記憶部２４とを有している。
【００５０】
図１０に示されるインスタントくじは、当たりくじとなる場合に、開封する絵柄部の小区画が縦方向、横方向、斜め方向の何れかの方向に一列に並んでいなければならない。開封位置情報記憶部２４はこの開封させる絵柄部の位置情報を記憶している。
【００５１】
記憶部２２は、絵柄部の外側に印刷する縦方向文字、及び情報部に印刷する縦方向の文字情報を記憶する縦方向文字情報記憶部２２ａと、絵柄部の外側に印刷する横方向認識文字、及び情報部に印刷する横方向の文字情報を記憶する横方向文字情報記憶部２２ｂと、当たりくじに印刷する画像情報を記憶する当選画像記憶部２２ｃと、その他の画像情報を記憶する画像情報記憶部２２ｄとからなる。
【００５２】
印刷制御部２３は、当選確率制御部１０により当たりくじの印刷に設定されると、開封位置情報記憶部２４より取得した開封する絵柄部の小区画の位置情報をアドレス変換部２５に送り、その小区画の文字を記憶した記憶部２２のアドレス情報を取得する。また、当選確率制御部１０により外れくじの印刷に設定されると、絵柄部の任意の位置の小区画を開封区画に設定し、その開封区画の位置情報をアドレス変換部２５に送り、その小区画の文字を記憶した記憶部のアドレス情報を取得する。
【００５３】
上記構成のインスタントくじ印刷装置は、まず、当選確率制御部１０により当たりくじを印刷するか、外れくじを印刷するかを判断する。そして、その設定情報である印刷設定信号を印刷制御部２３に転送する。
【００５４】
印刷制御部２３は、当選確率制御部１０より当たりくじの印刷設定信号が送られてくると、開封位置情報記憶部２４より当たりくじとするために開封する小区画の位置情報を読み出す。そして、読み出した開封する絵柄部の小区画の位置情報をアドレス変換部２５に送り、その小区画を識別する文字情報を記憶した縦方向文字情報記憶部２２ａと横情報文字情報記憶部２２ｂのアドレス情報を取得する。そして、くじの情報部２に印刷する文字情報を印刷部に転送する段になると、縦方向文字情報記憶部２２ａと横方向文字情報記憶部２２ｂの取得したアドレスに記憶された文字情報を読み出して印刷部１４に転送する。また、くじの絵柄層３に印刷する絵柄情報を印刷部１４に転送する段になると、当選画像記憶部２２ｃより開封区画に印刷する画像情報を読み出して印刷部１４に転送する。
【００５５】
また、印刷制御部２３は、当選確率制御部１０より外れくじの印刷設定信号が送られると、絵柄部の任意の位置の小区画を開封区画に設定し、その設定した開封区画の位置情報をアドレス変換部２５に送り、その小区画の文字を記憶した縦方向文字情報記憶部２２ａと、横情報文字情報記憶部２２ｂのアドレス情報を取得する。そして、くじの情報部２に印刷する文字情報を印刷部に転送する段になると、縦方向文字情報記憶部２２ａと横方向文字情報記憶部２２ｂの、取得したアドレスに記憶された文字情報を読み出して、印刷部１４に転送する。また、くじの絵柄層３に印刷する絵柄情報を印刷部に転送する段になると、画像情報記憶部２２ｄの任意の位置に記憶された画像情報を読み出して、印刷部１４に転送する。
【００５６】
印刷部１４は印刷制御部２３から転送される文字情報および画像情報を所定のカードに印刷し、その後、印刷部１４により文字情報及び画像情報が印刷されたカード１の情報部２及び絵柄部３上にシルクスクリーン印刷等によりスクラッチオフインキによる隠蔽層６を印刷することにより図１０に示されたカードが完成する。
【００５７】
なお、上述した実施形態は、本発明の好適な実施の例である。但し、これに限定されるものではなく、本発明の要旨を逸脱しない範囲内において種々変形実施が可能である。例えば、上述した実施形態では、情報層と絵柄層とを隠蔽する隠蔽層をシルクスクリーン印刷等によるスクラッチオフインキにより形成しているが、シールを張り付けて隠蔽してもよいし、鉛筆などでカードを擦ると絵柄が浮き出るような印刷をカードに施してもよい。
【００５８】
【発明の効果】
以上の説明より明らかなように本発明のインスタントくじは、基材上の所定の領域内に所定の絵柄を印刷した絵柄層を設け、絵柄層上に絵柄層を隠蔽する格子状に分割された隠蔽層を設け、格子状に分割された隠蔽層の各小区画の、小区画の交叉する２辺それぞれの方向での起点となる小区画からの順番を示す文字を所定の領域の外側に印刷し、基材上の他の領域に、絵柄層の所定の小区画の交叉する２辺それぞれの方向での起点となる小区画からの順番を印刷した情報層を設けて情報層を除去可能な隠蔽層で覆ったことにより、情報層に印刷された文字情報が示す隠蔽層をすべて剥離するまで、くじの当たり、外れが判らず、インスタントくじの購入者にくじを開封する面白みを与えることができる。
【００５９】
また、本発明のインスタントくじは、基材上の所定の領域に、格子状に分割され、格子を構成する小区画内に絵柄が印刷された絵柄層を設け、格子状に分割された絵柄層の各小区画の、小区画の交叉する２辺それぞれの方向での起点となる小区画からの順番を示す文字を所定の領域の外側に印刷し、格子状に分割された絵柄層を小区画毎に覆う格子状に分割された隠蔽層を設け、基材上の他の領域に、絵柄層の所定の小区画の交叉する２辺それぞれの方向での起点となる小区画からの順番を印刷した情報層を設けて情報層を除去可能な隠蔽層で覆ったことにより、情報層に印刷された文字情報が示す隠蔽層をすべて剥離するまでくじの当たり、外れが判らず、インスタントくじの購入者にくじを開封する面白みを与えることができる。
【００６０】
また、本発明のインスタントくじ印刷装置は、印刷制御手段が当選確率制御手段により当たりくじの印刷に設定されると、当選アドレス記憶手段に記憶されたアドレス情報を任意の順番で読み出し、情報層に印刷する文字情報を印刷手段に転送する段になると、記憶手段の、当選アドレス記憶手段から読み出したアドレスに記憶された文字情報を読み出して、印刷手段に転送し、当選確率制御手段により外れくじの印刷に設定され、情報層に印刷する文字情報を印刷する段になると、記憶手段の、任意のアドレスに記憶された文字情報を読み出して、印刷手段に転送することにより、情報層に印刷された文字情報が示す隠蔽層をすべて剥離するまでくじの当たり、外れが判らず、購入者に開封する面白みを与えることができるインスタントくじを印刷することができる。
【００６１】
また、本発明のインスタントくじ印刷装置は、印刷制御手段が当選確率制御手段より当たりくじの印刷に設定されると、絵柄層の任意の位置の小区画を所定の個数選択し、選択した小区画の位置情報から、小区画の起点となる小区画からの小区画の交叉する２辺それぞれの方向での順番を示す文字情報を記憶した記憶手段のアドレス情報を取得し、情報層に印刷する文字情報を印刷手段に転送する段になると、記憶手段の取得したアドレスに記憶された文字情報を印刷手段に転送し、絵柄層に印刷する画像情報を印刷手段に転送する段になると、記憶手段の当選画像記憶領域に記憶した画像情報を任意に読み出して印刷手段に転送し、当選確率制御手段より外れくじの印刷に設定されると、絵柄層の任意の位置の小区画を所定の個数選択し、選択した小区画の位置情報から、小区画の起点となる小区画からの小区画の交叉する２辺それぞれの方向での順番を示す文字情報を記憶した記憶手段のアドレス情報を取得し、情報層に印刷する文字情報を印刷手段に転送する段になると、記憶手段の取得したアドレスに記憶された文字情報を印刷手段に転送し、絵柄層に印刷する画像情報を印刷手段に転送する段になると、記憶手段の画像情報記憶領域から任意のアドレスの画像情報を読み出して、印刷手段に転送することにより、情報層に印刷された文字情報が示す隠蔽層をすべて剥離するまでくじの当たり、外れが判らず、購入者に開封する面白みを与えることができるインスタントくじを印刷することができる。
【００６２】
また、本発明のインスタントくじ印刷装置は、印刷制御手段が、等級決定手段から送られた数値設定情報から、数値設定情報が示す数値を記憶した記憶手段のアドレス情報をアドレス変換手段から取得し、絵柄層の任意の位置の小区画を所定の個数選択し、選択した小区画の位置情報から、小区画の起点となる小区画からの小区画の交叉する２辺それぞれの方向での順番を示す文字情報を記憶した記憶手段のアドレス情報をアドレス変換手段より取得し、情報層に印刷する文字情報を印刷手段に転送する段になると、記憶手段の取得したアドレスに記憶された文字情報を読み出して、印刷手段に転送し、絵柄層に印刷する数値を印刷手段に転送する段になると、記憶手段の所得したアドレスに記憶された数値情報を読み出して、印刷手段に転送することにより、情報層に印刷された文字情報が示す隠蔽層をすべて剥離するまでくじの当たり、外れが判らず、購入者に開封する面白みを与えることができるインスタントくじを印刷することができる。
【００６３】
また、本発明のインスタントくじ印刷装置は、印刷制御手段が当選確率制御手段より当たりくじの印刷に設定されると、開封位置情報記憶手段に記憶された開封させる絵柄層の小区画の位置情報を読み出し、読み出した小区画の位置情報から、小区画の起点となる小区画からの小区画の交叉する２辺それぞれの方向での順番を示す文字情報を記憶した記憶手段のアドレス情報をアドレス変換手段より取得し、情報層に印刷する文字情報を印刷手段に転送する段になると、記憶手段の取得したアドレスに記憶された文字情報を印刷手段に転送し、絵柄層に印刷する画像を印刷手段に転送する段になると、記憶手段の当選画像記憶領域に記憶した画像を読み出して印刷手段に転送し、当選確率制御手段より外れくじの印刷に設定されると、任意の位置の絵柄層の小区画を所定の個数選択し、選択した小区画の位置情報から、小区画の起点となる小区画からの小区画の交叉する２辺それぞれの方向での順番を示す文字情報を記憶した記憶手段のアドレス情報を取得し、情報層に印刷する文字情報を印刷手段に転送する段になると、記憶手段の取得したアドレスに記憶された文字情報を印刷手段に転送し、絵柄層に印刷する画像を印刷手段に転送する段になると、記憶手段の画像情報記憶領域から任意のアドレスの画像情報を読み出して印刷手段に転送することにより、情報層に印刷された文字情報が示す隠蔽層をすべて剥離するまでくじの当たり、外れが判らず、購入者に開封する面白みを与えることができるインスタントくじを印刷することができる。
【図面の簡単な説明】
【図１】本発明のインスタントくじの第１の実施形態の構成を表す図である。
【図２】本発明のインスタントくじの第１の実施形態の構成を表す図である。
【図３】本発明のインスタントくじの第１の実施形態の構成を表す図である。
【図４】本発明のインスタントくじの第１の実施形態の変形例の構成を表す図である。
【図５】第１の実施形態のインスタントくじを印刷する印刷装置の構成を表す図である。
【図６】本発明のインスタントくじの第２の実施形態の構成を表す図である。
【図７】本発明のインスタントくじの第２の実施形態の構成を表す図である。
【図８】本発明のインスタントくじの第２の実施形態の構成を表す図である。
【図９】本発明のインスタントくじの第２の実施形態の構成を表す図である。
【図１０】本発明のインスタントくじの第２の実施形態の構成を表す図である。
【図１１】第２の実施形態のインスタントくじを印刷する印刷装置の構成を表す図である。
【図１２】第２の実施形態のインスタントくじを印刷する印刷装置の構成を表す図である。
【図１３】第２の実施形態のインスタントくじを印刷する印刷装置の構成を表す図である。
【符号の説明】
１  カード
２  情報部
３  絵柄部
４  縦方向文字印刷層
５  横方向文字印刷層
６  隠蔽層
１０  当選確率制御部
１１、１５、１８、２２  記憶部
１２、１６、１９、２３  印刷制御部
１３  当選アドレス記憶部
１４  印刷部
１７、２１、２５  アドレス変換部
２０  等級決定部
２４  開封位置情報記憶部
【図１】
0004057732.tif 000002
【図２】
0004057732.tif 000003
【図３】
0004057732.tif 000004
【図４】
0004057732.tif 000005
【図５】
0004057732.tif 000006
【図６】
0004057732.tif 000007
【図７】
0004057732.tif 000008
【図８】
0004057732.tif 000009
【図９】
0004057732.tif 000010
【図１０】
0004057732.tif 000011
【図１１】
0004057732.tif 000012
【図１２】
0004057732.tif 000013
【図１３】
0004057732.tif 000014